(57)【要約】【課題】洗剤と水の量を節約するクリーニングクロスを提供する。【解決手段】クリーニングクロス５０は、上部表面布１０、中間連結層２０、及び底面布３０から構成される。上部表面布１０と底面布３０とは、中間連結層２０の両端に支えられて結合し一体となり、中間連結層２０は上部表面布１０と底面布３０とに挟まれて空間２１０を形成する。したがって、少量の洗剤を使用するだけで、大量の泡が発生して洗浄を行なうことが可能で、洗浄後の洗い流しの際も少ない水量を使用するだけで完了するので、洗剤と水の量が節約できると同時に、ウィルスの繁殖も抑えることが可能である。【選択図】図１
0003162742.tif 000002
【実用新案登録請求の範囲】
【請求項１】
上部表面布、中間連結層、及び底面布から構成されるクリーニングクロスであって、
前記上部表面布と前記底面布とは、前記中間連結層の組織両端に支えられて結合されて一体となり、
前記中間連結層は、前記上部表面布と前記底面布とに挟まれて空間を形成することを特徴とするクリーニングクロス。
【請求項２】
前記上部表面布と前記底面布との間に位置する前記中間連結層の組織は、直状配列であることを特徴とする請求項１に記載のクリーニングクロス。
【請求項３】
前記上部表面布と前記底面布との間に位置する前記中間連結層の組織は、交差配列であることを特徴とする請求項１に記載のクリーニングクロス。
【考案の詳細な説明】
【技術分野】
【０００１】
本考案は、クリーニングクロスに関し、特に上部表面布、中間連結層、及び底面布から構成されることで、少量の洗剤でも大量の泡が発生して洗浄を行い、少量の水ですすぎが完了することにより、洗剤とすすぎの水の量を節約し、同時にウィルスの繁殖を抑えるクリーニングクロスに関する。
【背景技術】
【０００２】
一般に、厨房や浴室で使用されるクリーニングクロスは、クリーニングクロスに洗剤（あるいはボディソープ）を吸着させ、物体や身体表面の皮膚に接触させて、クリーニングクロスの両表面の繊維層で摩擦することによって汚れを除去する。しかしながら、実際に使用してみると、以下のような欠点に気付く。クリーニングクロス内部には洗剤に泡を発生させる空間がないため、洗剤を多めに使用することで泡を立たせることになる。使用する洗剤の量が多くなると、当然ながら大量の水を使用して洗い流す必要がある。つまり、従来のクリーニングクロスは洗剤にせよ、水にせよ、多くの資源を無駄にするのである。
【考案の概要】
【考案が解決しようとする課題】
【０００３】
したがって、本考案は、洗剤と水の量を節約するクリーニングクロスを提供することを目的とする。
【課題を解決するための手段】
【０００４】
上記目的を達成するため、本考案によるクリーニングクロスは、上部表面布、中間連結層、及び底面布から構成される。上部表面布と底面布とは、中間連結層の両端に支えられて結合し一体となる。したがって、本考案のクリーニングクロスは少量の洗剤を使用するだけで、大量の泡が発生して洗浄を行なうことが可能で、洗浄後の洗い流しの際も少ない水量を使用するだけで完了する。したがって、洗剤と水の量が節約できると同時に、ウィルスの繁殖も抑えることが可能である。
【０００５】
さらに、本考案によるクリーニングクロスは、上部表面布と底面布との間に位置する中間連結層が上下両端によって支えて結合することで一体となり、中間連結層によって形成された空間が大量に洗剤を吸着する。
【０００６】
（考案の効果）
本考案のクリーニングクロスは、上部表面布と底面布との間に中間連結層を有し、その中間連結層の空間を有することで、少量の洗剤で泡が立ち、洗い流しの際の水の量も少なくてすむため、資源の節約が可能である。
【図面の簡単な説明】
【０００７】
【図１】本考案の第１実施形態によるクリーニングクロスを示す斜視図及び部分断面図である。
【図２】本考案の第１実施形態によるクリーニングクロスの使用例を示す模式図である。
【図３】本考案の第１実施形態によるクリーニングクロスの使用時の断面を示す模式図である。
【図４】本考案の第２実施形態によるクリーニングクロスの実施形態を示す斜視図及び部分断面図である。
【図５】本考案の第２実施形態によるクリーニングクロスの使用例を示す模式図である。
【図６】本考案の第３実施形態によるクリーニングクロスの使用例を示す模式図である。
【考案を実施するための最良の形態】
【０００８】
以下、本考案によるクリーニングクロスを図面に基づいて説明する。
（第１実施形態）
【０００９】
図１〜３には、本考案のクリーニングクロスによる第１実施形態を示す。
図１に示すように、本考案の第１実施形態によるクリーニングクロス５０は、上部表面布１０、中間連結層２０、及び底面布３０より構成される。上部表面布１０と底面布３０との間に位置する中間連結層２０は、その両端が上部表面布１０と底面布３０とを支えることで連結し一体となる。同時に、中間連結層２０は、上部表面布１０と底面布３０とに挟まれて、空間２１０を形成する。中間連結層２０の組織２２０は、直状の形態で配列分布する。
【００１０】
図２、３に示すように、このような構造により、少量の洗剤Ａをクリーニングクロス５０の両表面の上部表面布１０及び底面布３０につけるだけで、両者の間の中間連結層２０が適度な空間２１０を形成することにより大量の泡を発生させ、クリーニングクロス５０全体で一度に物体Ｂの洗浄ができ、流失することがない。このように、少量の洗剤を使用するだけで洗浄が可能なため、洗い流す水の量も少なくて済む。つまり、少量の洗剤Ａ及び少量の水を使用するだけでクリーニングクロス５０が接触した物体Ｂの洗浄と洗い流しが完了する。したがって、洗剤Ａと水とを節約することが可能である。同時に、このように、クリーニングクロス５０全体で洗浄して、完全に洗い流すことで、ウィルスの繁殖を抑えることができる。
【００１１】
（第２実施形態）
図４には、本考案のクリーニングクロスによる第２実施形態を示す。
図４に示すように、本考案の第２実施形態によるクリーニングクロス５３は、上部表面布１３、中間連結層２３、及び底面布３３より構成される。上部表面布１３と底面布３３とは細かい繊維の材料によって製造され、両者の間に位置する中間連結層２３は、その両端が上部表面布１３と底面布３３とを支えることによって連結し一体となる。中間連結層２３は、上部表面布１３と底面布３３とに挟まれて、空間２１３を形成する。中間連結層２３の組織２２３は、交差状の形態で配列される。
【００１２】
図５に示すように、クリーニングクロス５３に少量のボディソープをつけて、身体Ｃを清拭し、身体Ｃの皮膚を傷つけたりすることがない。
（第３実施形態）
【００１３】
図６には、本考案のクリーニングクロスによる第３実施形態を示す。
図６に示すように、本考案の第３実施形態によるクリーニングクロス５４は、上部表面布１４、中間連結層２４、及び底面布３４より構成される。上部表面布１４と底面布３４とは細かい繊維の材料によって製造される。クリーニングクロス５４で容器Ｄ（例えば、電子レンジ専用の柔らかい材質の容器）を洗浄し、容器Ｄの表面に傷を残すことがない。
【００１４】
第２、３実施形態の使用及び特徴は第１実施形態と同じであるため、詳細な説明を省略する。
【００１５】
本考案によるクリーニングクロスは、目的に合わせて物体表面の汚れを落とすために、上部表面布と底面布とを、表面が異なる粗さの繊維材にしてもよい。
本考案によるクリーニングクロスは、目的に合わせて身体を清拭するために、上部表面布と底面布とを、表面が異なる粗さの繊維材にしてもよい。
【００１６】
本考案によるクリーニングクロスは、上部表面布と底面布との間に位置する中間連結層の組織が直状配列であってもよい。
本考案によるクリーニングクロスは、上部表面布と底面布との間に位置する中間連結層の組織が交差配列であってもよい。
【符号の説明】
【００１７】
１０、１３、１４・・・上部表面布、
２０、２３、２４・・・中間連結層、
２１０、２１３  ・・・空間、
２２０、２２３  ・・・組織、
３０、３３、３４・・・底面布、
５０、５３、５４・・・クリーニングクロス
Ａ    ・・・洗剤、
Ｂ    ・・・物体、
Ｃ    ・・・身体、
Ｄ    ・・・容器、
Ｅ    ・・・ボディソープ。
【図１】
0003162742.tif 000003
【図２】
0003162742.tif 000004
【図３】
0003162742.tif 000005
【図４】
0003162742.tif 000006
【図５】
0003162742.tif 000007
【図６】
0003162742.tif 000008